(57)【要約】【課題】薄型カードタイプとすることで携帯性の向上したコインケースとなり、また首に吊り下げたままでワンタッチで簡単に一つ一つのコインを取り出せるようにする。【解決手段】コイン投入口２ａ、コイン取出口３ａそれぞれを備えたカード型のストッカー本体１と、ストッカー本体１のコイン取出口３ａ側に配し、コイン取出ボタン４の引き出し乃至押し込み動作によって最下側コインＰの係止および係止解除が交互に行なえるようコイン取出機構Ｑとを備える。コイン取出機構Ｑは、発条体７によって引き出し方向に常時付勢されているコイン取出ボタン４と、最下側に位置するコインＰをコイン取出ボタン４の引き出し位置で係止し、コイン取出ボタン４の押し込み位置で係止解除するよう第１係止部８と、最下側コインＰの上側に位置するコインＰをコイン取出ボタン４の押し込み位置で係止する第２係止部９とを備えて成る。【選択図】図１
2007222363.tif 000002
【特許請求の範囲】
【請求項１】
コイン投入口、コイン取出口それぞれを備えたカード型のストッカー本体と、該ストッカー本体のコイン取出口側に配され、コイン取出ボタンの引き出し乃至押し込み動作によって最下側コインの係止および係止解除が交互に行なわれるコイン取出機構とを備えて成ることを特徴とするコインストッカー。
【請求項２】
コイン取出機構は、コイン取出口側で押し込み乃至引き出し自在に配され、且つ発条体によって引き出し方向に常時付勢されているコイン取出ボタンと、コイン取出口の最下側に位置するコインをコイン取出ボタンの引き出し位置で係止し、且つ発条体の付勢力に抗してのコイン取出ボタンの押し込み位置で係止解除するよう当該コイン取出ボタンに延設した第１係止部と、前記最下側コインの上側に位置するコインをコイン取出ボタンの押し込み位置で係止するよう当該コイン取出ボタンに突設した第２係止部とを備えて成る請求項１記載のコインストッカー。
【請求項３】
コイン取出ボタンの引き出し位置または押し込み位置での第１係止部によるコインの係止または係止解除と、コイン取出ボタンの押し込み位置または引き出し位置での第２係止部によるコインの係止または係止解除は、コイン取出ボタンの押し込み乃至引き出し動作によって交互に行なわれる請求項１または２記載のコインストッカー。
【請求項４】
前記第２係止部は、コイン取出ボタンの押し込み時におけるストローク範囲にわたってコインに対し一定の押圧力を維持すべくクッションバネを介して進出乃至退避可能となるようにコイン取出ボタンに突設してある請求項１乃至３のいずれかに記載のコインストッカー。
【請求項５】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えた請求項１乃至４のいずれかに記載のコインストッカー。
【請求項６】
ストッカー本体には、ネックストラップを着脱自在に取り付け可能とする吊下げ孔部を備えた請求項１乃至５のいずれかに記載のコインストッカー。
【発明の詳細な説明】
【技術分野】
【０００１】
本発明は、複数のコインを収納してから首等に吊り下げる等して携帯可能とした薄型カードタイプのコインストッカーに関する
【背景技術】
【０００２】
近年、例えば１００円コインをカード販売機に入れて遊戯用カードを購入し、複数枚の遊戯用カードの中から所望のカードを選択してこのバーコードをスキャンさせることでコンピュータに読み取らせ、該コンピュータを相手に対戦するか、あるいは友達の所有している遊戯用カードとで直接勝負するというような子供の遊戯ゲームが流行している。
【０００３】
このように遊戯ゲームを行なう際には、ポケットもしくは小銭入れ等からコインを一枚一枚取り出すことによってカード販売機に投入し、遊戯用カードを購入していたため、非常に手間と時間が掛かるものであった。
【０００４】
このため、従来では様々なタイプのコインケースが提案されている。
例えば、特許文献１に開示されているように、細長箱状のケースを、仕切板により前側と後側の空間部を形成し、且つ前後それぞれの空間部を側壁によって複数組の収納部とし、前側および後側の各収納部にコインを重合状に収納自在として成るコインケースがある。
【０００５】
また、特許文献２に開示されているように、同種のコインをバネ力に抗して厚み方向に重ね合わせて収納するための円筒形空間部がその軸を横方向にして複数個並設され、手動操作によりコインを一枚づつ放出ゲートから放出させるバイク車両取付型のコインケースがある。
【０００６】
さらに、特許文献３に開示されているように、複数枚のコインを略コ字枠状のカバー内に収納させ、カバー内でコインの片側は保持穴で係合保持され、コインの反対側はバネ作動部で単独で押えられ、上側開口部から一枚のコインを軽く親指で押えてカバーからスライドさせて取り出す１円玉用のコインケースがある。
【０００７】
さらにまた、特許文献４に開示されているように、円形端面板の周縁から、先端に係止部を有する円弧板片状の挟持片を対向突出させ、円形端面板の挟持片間に係止受部を形成して成るコイン収納可能とした同構造一対の構成体を形成し、一方の構成体の挟持片を他方の構成体の円形端面板の係止受部に係止させることで両構成体を噛合して成るコインケースがある。
【特許文献１】特開平８−１００２１号公報
【特許文献２】特開平９−２９４６１７号公報
【特許文献３】特開２００２−７８５１８号公報
【特許文献４】実開平６−６５９７３号公報
【発明の開示】
【発明が解決しようとする課題】
【０００８】
しかしながら、これら従来例によると、コインケース自体が袋状タイプ、筒状タイプ、箱状タイプのものが殆どであって、薄型で携帯性のあるカードタイプ、あるいは吊り下げ可能な携帯電話タイプのものが存在しない。
【０００９】
また、従来のコインケースでは、購入した遊戯用カードを収納しておけるようなスペースも存在しない。
【００１０】
さらに、従来のコインケースは、コインの一部分が露出しているため、外観からして一目でコインケースであるものと分かってしまうものであった。すなわち、コインを完全に隠蔽させることでコインケースであるものとは認知し難いものとし、一見カードのようにしか理解できないようにしたコインケースは従来は存在しなかったのである。
【００１１】
そこで、本発明は、叙上のような従来存した諸事情に鑑み創出されたもので、一般のクレジットカードやテレホンカード等のような薄型カードタイプとすることで携帯性の向上したコインケースとすることができ、また首に吊り下げたままでワンタッチで簡単に一つ一つのコインを取り出せるようにしたコインケースを提供することを目的とする
【課題を解決するための手段】
【００１２】
上述した課題を解決するため、本発明にあっては、コイン投入口、コイン取出口それぞれを備えたカード型のストッカー本体と、該ストッカー本体のコイン取出口側に配され、コイン取出ボタンの引き出し乃至押し込み動作によって最下側コインの係止および係止解除が交互に行なわれるコイン取出機構とを備えて成るものである。
【００１３】
コイン取出機構は、コイン取出口側で押し込み乃至引き出し自在に配され、且つ発条体によって引き出し方向に常時付勢されているコイン取出ボタンと、コイン取出口の最下側に位置するコインをコイン取出ボタンの引き出し位置で係止し、且つ発条体の付勢力に抗してのコイン取出ボタンの押し込み位置で係止解除するよう当該コイン取出ボタンの先端に延設した第１係止部と、前記最下側コインの上側に位置するコインをコイン取出ボタンの押し込み位置で係止するよう当該コイン取出ボタンの斜上側に突設した第２係止部とを備えて成るものとすることができる。
【００１４】
コイン取出ボタンの引き出し位置または押し込み位置での第１係止部によるコインの係止または係止解除と、コイン取出ボタンの押し込み位置または引き出し位置での第２係止部によるコインの係止または係止解除は、コイン取出ボタンの押し込み乃至引き出し動作によって交互に行なわれるものとすることができる。
【００１５】
前記第２係止部は、コイン取出ボタンの押し込み時におけるストローク範囲にわたってコインに対し一定の押圧力を維持すべくクッションバネを介して進出乃至退避可能となるようにコイン取出ボタンに突設してあるものとすることができる。
【００１６】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたものとすることができる。
【００１７】
ストッカー本体には、ネックストラップを着脱自在に取り付け可能とする吊下げ孔部を備えたものとすることができる。
【発明の効果】
【００１８】
本発明によれば、一般のクレジットカードやテレホンカード等のような薄型カードタイプとすることで携帯性の向上したコインケースとすることができ、また首に吊り下げたままでワンタッチで簡単に一つ一つのコインを取り出すことができる。
【００１９】
すなわち本発明は、コイン投入口、コイン取出口それぞれを備えたカード型のストッカー本体と、該ストッカー本体のコイン取出口側に配され、コイン取出ボタンの引き出し乃至押し込み動作によって最下側コインの係止および係止解除が交互に行なわれるコイン取出機構とを備えて成るからであり、これにより一般のクレジットカードやテレホンカード等のような薄型カードタイプとなって携帯性の向上したコインケースとすることができる。また、最下側コインの係止および係止解除が交互に行なわれるコイン取出機構によってワンタッチで簡単にコインが一つ一つ容易に取り出すことができる。
【００２０】
また、コイン取出機構は、コイン取出口側で押し込み乃至引き出し自在に配され、且つ発条体によって引き出し方向に常時付勢されているコイン取出ボタンと、コイン取出口の最下側に位置するコインをコイン取出ボタンの引き出し位置で係止し、且つ発条体の付勢力に抗してのコイン取出ボタンの押し込み位置で係止解除するよう当該コイン取出ボタンの先端に延設した第１係止部と、前記最下側コインの上側に位置するコインをコイン取出ボタンの押し込み位置で係止するよう当該コイン取出ボタンの斜上側に突設した第２係止部とを備えて成るので、コインが二つ以上余計に取り出されることが無く、ワンタッチで確実にコインを一つ一つ取り出すことができる。
【００２１】
コイン取出ボタンの引き出し位置または押し込み位置での第１係止部によるコインの係止または係止解除と、コイン取出ボタンの押し込み位置または引き出し位置での第２係止部によるコインの係止または係止解除は、コイン取出ボタンの押し込み乃至引き出し動作によって交互に行なわれるので、第１係止部および第２係止部が同時にコインを引っ掛けてしまう虞れが無くなり、コインを一つ一つスムーズかつ確実に取り出すことができる。
【００２２】
前記第２係止部は、コイン取出ボタンの押し込み時におけるストローク範囲にわたってコインに対し一定の押圧力を維持すべくクッションバネを介して進出乃至退避可能となるようにコイン取出ボタンに突設してあるので、コインに対する第２係止部の突っ掛かりに伴って最下側コインが取り出し可能となっている。
【００２３】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたので、コインストッカーに対し好みに応じたキャラクターや用途に合わせたデザインを容易に付与することができ、コインストッカーとしての見栄えが良くなる。また、購入した好みの遊戯用カードをジャケットに収納することで外観上の面白味を付与することができ、且つ購入した遊戯用カードを紛失させることもなくなる。
【００２４】
ストッカー本体には、ネックストラップを着脱自在に取り付け可能とする吊下げ孔部を備えたので、ネックストラップを首に吊り下げておくことでコインストッカーを紛失させる虞れが無くなり、しかも従来の携帯電話のようにコインストッカーを首に吊り下げたままでワンタッチで簡単にコインを取り出すことができる。
【発明を実施するための最良の形態】
【００２５】
以下、図面を参照して本発明を実施するための最良の一形態を説明する。
図において示される符号１は、例えば、横幅員が５３．９ｃｍ、縦幅員が８５．５ｃｍという一般的な標準カードサイズによる薄型カードタイプに形成された合成樹脂製または金属製等のストッカー本体である。
【００２６】
すなわち、ストッカー本体１は、図１に示すように、コイン投入口２ａに通じる第１コイン通路２と、コイン取出口３ａに通じる第２コイン通路３とが上下方向へ段差状となって隣接配置されており、第１コイン通路２下側とコイン取出口３ａ横側との間に形成されている凹所１２には、コイン取出ボタン４の引き出し乃至押し込み動作によってコイン取出口３ａにおける最下側コインＰの係止および係止解除が交互に行なわれるようにするためのコイン取出機構Ｑが設けられ、これによってコイン取出口３ａからコインＰを一枚ずつ取り出せるようにしてある。
【００２７】
コイン取出機構Ｑは、図２に示すように、第１コイン通路２下側とコイン取出口３ａ横側との間に形成されている凹所１２に略矩形環状の取付枠部５が設けられ、コイン取出ボタン４を当該取付枠部５の環内でのストローク範囲でもって前後（横方向）にスライドできるように取り付けてある。
【００２８】
そして、取付枠部５のコイン取出口３ａ側にある凹所１２の内端面と、コイン取出ボタン４の先端側側面に凹設した窪み６との間には発条体７が介挿され、コイン取出ボタン４を引き出し方向に常時付勢させている。
【００２９】
また、図３に示すように、コイン取出ボタン４の先端には帯板状の第１係止部８が延設され、コイン取出口３ａ内側で、コイン取出ボタン４の押し込み乃至引き出し動作によって左右に移動するものとなっている。このとき、この第１係止部８とコイン取出口３ａの間にはコインＰの通過の妨げとならないように隙間が形成されていることは勿論である。
【００３０】
そして、この第１係止部８の先端は、横方向にＬ字状８ａに屈曲し、且つ下方に行くに従って次第に内側に湾曲されており、コイン取出口３ａの最下側に位置するコインＰを発条体７の付勢力によるコイン取出ボタン４の引き出し位置で係止し、且つ発条体７の付勢力に抗してのコイン取出ボタン４の押し込み位置で係止解除するようにしてある。さらに、このコイン取出ボタン４の押し込み位置で第１係止部８の先端は、ストッカー本体１の第２コイン通路３側内壁面に凹設した逃げ溝１３内に逃げるようにしてある。
【００３１】
また、コイン取出ボタン４の上側に形成された三角状の突起部４ａには、ロッド状の第２係止部９が斜め上方へ突設され、この第２係止部９によって最下側コインＰの上側に位置するコインＰをコイン取出ボタン４の押し込み位置で係止するようにしてある。
【００３２】
このとき第２係止部９は、コイン取出ボタン４の押し込み時におけるストローク範囲全体にわたってコインＰに対し一定の押圧力を維持すべくクッションバネ１０を介して進出乃至退避可能となるようにコイン取出ボタン４に取り付けてある。
【００３３】
こうして、コイン取出ボタン４の引き出し位置または押し込み位置での第１係止部８によるコインＰの係止または係止解除と、コイン取出ボタン４の押し込み位置または引き出し位置での第２係止部９によるコインＰの係止または係止解除は、コイン取出ボタン４の押し込み乃至引き出し動作によって交互に行なわれるものとなる。
【００３４】
図４に示すように、ストッカー本体１の上端側面には、首に吊り下げ可能なネックストラップＳを着脱自在に取り付けるための吊下げ孔部１１を備えている。
【００３５】
そして、ストッカー本体１の表面側には、例えばドラゴンボールＺ、デジモンセイバーズ、セガトイズ関連キャラクター（登録商標）等や用途に合わせたデザインさらにはネーム等を施して成る例えばアクリル製薄板等によって形成された着せ替え可能なジャケットＪが、リベットＲによって着脱可能となるように取り付けられている。
【００３６】
尚、このジャケットＪには、ゲームに使用される遊戯用カード（図示せず）等を収納可能とした透視可能なカード収納部を有していても良い。
【００３７】
次に、以上のように構成された最良の形態についての使用、動作の一例について説明する。
図４に示すように、ストッカー本体１の吊下げ孔部１１にネックストラップＳを取り付け、ストッカー本体１の表面側に、例えばドラゴンボールＺ、デジモンセイバーズ、セガトイズ関連キャラクター（登録商標）等や用途に合わせたデザインさらにはネーム等を施して成るジャケットＪがリベットＲによって取り付けられる。
【００３８】
ストッカー本体１のコイン投入口２ａから第１コイン通路２内に、例えば１００円玉５枚のコインＰを投入すると、コイン取出口３ａに通じる第２コイン通路３までコインＰが挿入される。このときコイン取出ボタン４は、引き出し方向に常時付勢させてあるため、これを押圧させない限り、最下側に位置するコインＰは第１係止部８によって係止されたままである。こうして、ストッカー本体１自体を普通の手帳やカードと同じようにして携帯される。
【００３９】
コインＰを取り出す際には、コイン取出機構Ｑであるコイン取出ボタン４を発条体７の付勢力に抗して手指で押すと、第１係止部８による最下側コインＰの係止が解除されてコイン取出口３ａから一枚のコインＰが落下する。このとき、第２係止部９により最下側コインＰの上側に位置するコインＰが係止されて落下しない状態となっている。
【００４０】
そして、コイン取出ボタン４から手指を離すと発条体７の付勢力によってコイン取出ボタン４と共に第２係止部９が退避して最下側コインＰの上側に位置するコインＰが最下側に落下すると同時に第１係止部８が内側に移動してコインＰを係止する。
【００４１】
こうして一般のクレジットカードやテレホンカード等のように携帯性が向上し、また首に吊り下げたままでワンタッチで簡単に一つ一つのコインＰを取り出すことができるのである。
【図面の簡単な説明】
【００４２】
【図１】本発明を実施するための最良の形態におけるコインストッカーを示すもので、（ａ）は正面図、（ｂ）は（ａ）のＡ−Ａ断面図、（ｃ）は背面図である。
【図２】同じくコイン取出機構を拡大した部分を正面から見た断面図である。
【図３】図２のＡ−Ａ矢視拡大断面図である。
【図４】同じく使用状態の斜視図である。
【符号の説明】
【００４３】
Ｐ    コイン
Ｑ    コイン取出機構
Ｊ    ジャケット
Ｒ    リベット
Ｓ    ネックストラップ
１    ストッカー本体
２    第１コイン通路
２ａ  コイン投入口
３    第２コイン通路
３ａ  コイン取出口
４    コイン取出ボタン
４ａ  突起部
５    取付枠部
６    窪み
７    発条体
８    第１係止部
９    第２係止部
１０  クッションバネ
１１  吊下げ孔部
１２  凹所
１３  逃げ溝
【図１】
2007222363.tif 000003
【図２】
2007222363.tif 000004
【図３】
2007222363.tif 000005
【図４】
2007222363.tif 000006